(57)【要約】【課題】  本発明の目的は、画像とアイコンの表示をする際に、操作性と画像の視認性とを両立させることである。【解決手段】  表示手段へのタッチ操作を検出可能なタッチ検出手段と、前記表示手段に表示された画像を接眼部を通して視認する第一の状態においては、前記表示手段の所定の領域にアイテムを表示するとともに、前記所定の領域ではない領域に前記画像を表示し、前記表示手段に表示された画像を前記接眼部を通さずに視認可能な第二の状態においては、前記アイテムに対応するタッチ操作を受付可能なタッチアイテムを表示するとともに、前記表示手段の前記所定の領域に前記画像を表示するように制御する制御手段とを有することを特徴とする。【選択図】  図３
2017016581.tif 000002
【特許請求の範囲】
【請求項１】
表示手段へのタッチ操作を検出可能なタッチ検出手段と、
前記表示手段に表示された画像を接眼部を通して視認する第一の状態においては、前記表示手段の所定の領域にアイテムを表示するとともに、前記所定の領域ではない領域に前記画像を表示し、前記表示手段に表示された画像を前記接眼部を通さずに視認可能な第二の状態においては、前記アイテムに対応するタッチ操作を受付可能なタッチアイテムを表示するとともに、前記表示手段の前記所定の領域に前記画像を表示するように制御する制御手段とを有することを特徴とする表示制御装置。
【請求項２】
表示手段へのタッチ操作を検出可能なタッチ検出手段と、
前記表示手段に表示されたアイテムへのタッチ操作に応じた処理が実行されない第一の状態においては、前記表示手段の所定の領域にアイテムを表示するとともに、前記所定の領域ではない領域に画像を表示し、前記表示手段に表示された前記アイテムへのタッチ操作に応じた処理が実行される第二の状態においては、前記アイテムに対応するタッチ操作を受付可能なタッチアイテムを表示するとともに、前記表示手段の前記所定の領域に前記画像を表示するように制御する制御手段とを有することを特徴とする表示制御装置。
【請求項３】
前記制御手段は、前記第一の状態の場合には、前記画像が前記表示手段の表示領域の中央に表示されるように制御することを特徴とする請求項１または２に記載の表示制御装置。
【請求項４】
前記第一の状態は、前記表示手段に対して着脱可能な接眼手段が装着され、接眼部を通して前記接眼手段によりおおわれた表示領域を視認可能な状態であり、前記第二の状態は、前記表示手段に対して前記接眼手段が装着されていない状態であることを特徴とする請求項１乃至３の何れか１項に記載の表示制御装置。
【請求項５】
前記第二の状態においては、接眼部を通して前記表示手段に表示された画像を視認できないことを特徴とする請求項１乃至４の何れか１項に記載の表示制御装置。
【請求項６】
前記第二の状態において、前記画像を前記第一の状態の表示位置よりも前記表示手段の上または左に寄せて表示することを特徴とする請求項１乃至５の何れか１項に記載の表示制御装置。
【請求項７】
前記制御手段は、前記第一の状態の場合には、前記表示手段のうち、前記画像の下方向または前記画像から把持部へ向かう方向である第一の方向にある領域であり、前記画像の表示されない第一の領域と、前記画像からみて前記第一の方向とは反対の第二の方向にある領域であり、前記画像の表示されない第二の領域とのうち少なくとも何れかの領域に前記アイテムを表示するように制御することを特徴とする請求項１乃至６の何れか１項に記載の表示制御装置。
【請求項８】
前記所定の領域は、前記第一の領域と前記第二の領域のうち、前記第二の領域であることを特徴とする請求項７に記載の表示制御装置。
【請求項９】
前記制御手段は、前記第二の状態の場合には、前記表示手段のうち、前記第一の状態において前記第二の領域となる領域の少なくとも一部に重なるように前記画像を表示し、前記表示手段のうち前記画像から前記第二の方向には前記タッチアイテムを表示せず、前記表示手段のうち前記画像から前記第一の方向にある、前記画像が表示されない領域に前記タッチアイテムを表示するように制御することを特徴とする請求項７または８に記載の表示制御装置。
【請求項１０】
前記制御手段は、前記画像の横方向の長さに対する縦方向の長さの比が、前記表示手段の表示領域の横方向の長さに対する縦方向の長さの比よりも大きい場合には、前記第一の状態において前記画像の左右の領域に帯状の領域である前記第一の領域と前記に第二の領域とを設け、前記画像の横方向の長さに対する縦方向の長さの比が、前記表示手段の表示領域の横方向の長さに対する縦方向の長さの比よりも大きい場合には、前記第一の状態において前記画像の上下の領域に帯状の領域である前記第一の領域と前記に第二の領域とを設けるように制御することを特徴とする請求項７乃至９の何れか１項に記載の表示制御装置。
【請求項１１】
前記第一の状態における前記第一の領域と前記第二の領域とは同じ高さまたは幅であることを特徴とする請求項７乃至１０の何れか１項に記載の表示制御装置。
【請求項１２】
前記第一の方向は、前記表示手段に表示された文字の下方向と同じ方向であることを特徴とする請求項７乃至１１の何れか１項に記載の表示制御装置。
【請求項１３】
前記制御手段は、前記第一の状態と、前記第二の状態において、表示される画像の大きさを同じにするように制御することを特徴とする請求項１乃至１２の何れか１項に記載の表示制御装置。
【請求項１４】
前記第一の状態における前記アイテムの表示形態と、前記第二の状態における前記タッチアイテムの表示形態とは異なることを特徴とする請求項１乃至１３の何れか１項に記載の表示制御装置。
【請求項１５】
撮影の開始指示を受け付ける受付手段をさらに有し、
前記制御手段は、前記第二の状態である場合に、前記受付手段により撮影の開始指示がされたことに応じて、前記画像を前記第一の状態において前記画像を表示する位置に表示するように制御することを特徴とする請求項１乃至１４の何れか１項に記載の表示制御装置。
【請求項１６】
前記画像は、撮像部により得られた画像であることを特徴とする請求項１乃至１５の何れか１項に記載の表示制御装置。
【請求項１７】
前記表示手段とは別の位置に操作部材をさらに有し、
前記表示手段に表示される前記タッチアイテムのうち少なくとも１つのタッチアイテムをタッチしたことに応じて行われる処理は、前記操作部材への操作に応じても行われることを特徴とする請求項１乃至１６の何れか１項に記載の表示制御装置。
【請求項１８】
表示手段へのタッチ操作を検出可能なタッチ検出ステップと、
前記表示手段に表示された画像を接眼部を通して視認する第一の状態においては、前記表示手段の所定の領域にアイテムを表示するとともに、前記所定の領域ではない領域に前記画像を表示し、前記表示手段に表示された画像を前記接眼部を通さずに視認可能な第二の状態においては、前記アイテムに対応するタッチ操作を受付可能なタッチアイテムを表示するとともに、前記表示手段の前記所定の領域に前記画像を表示するように制御する制御ステップとを有することを特徴とする表示制御装置の制御方法。
【請求項１９】
表示手段へのタッチ操作を検出可能なタッチ検出ステップと、
前記表示手段に表示されたアイテムへのタッチ操作に応じた処理が実行されない第一の状態においては、前記表示手段の所定の領域にアイテムを表示するとともに、前記所定の領域ではない領域に画像を表示し、前記表示手段に表示された前記アイテムへのタッチ操作に応じた処理が実行される第二の状態においては、前記アイテムに対応するタッチ操作を受付可能なタッチアイテムを表示するとともに、前記表示手段の前記所定の領域に前記画像を表示するように制御する制御ステップとを有することを特徴とする表示制御装置の制御方法。
【請求項２０】
コンピュータを、請求項１乃至１７のいずれか１項に記載された表示制御装置の各手段として機能させるためのプログラム。
【請求項２１】
コンピュータを、請求項１乃至１７のいずれか１項に記載された表示制御装置の各手段として機能させるためのプログラムを格納したコンピュータが読み取り可能な記録媒体。
【発明の詳細な説明】
【技術分野】
【０００１】
本発明は、表示制御装置および表示装置の制御方法に関し、特にタッチ操作を受け付け可能な表示部に画像を表示する際の表示制御技術に関する。
【背景技術】
【０００２】
近年、デジタルカメラ等の画像を表示する装置においても、設定変更等の処理をタッチ操作で受け付けるものがある。特許文献１には、画像を表示部の中央に表示し、タッチ操作を受け付けるアイコン画像を、画像の左右両側の領域に表示することが記載されている。
【先行技術文献】
【特許文献】
【０００３】
【特許文献１】特開２０１２−１３３５２４号公報
【発明の概要】
【発明が解決しようとする課題】
【０００４】
上述したようなタッチ操作を受け付けるデジタルカメラで撮影を行う際には、撮影中の画像を確認したり、撮影に関する設定項目を変更する操作を行う。特許文献１の表示画面では、画像が画面の中央に表示されているのでユーザは画像の構図を取りやすいが、画面の両側にあるアイコンのうち、いずれかをタッチしようとするとタッチ操作をする指が画像にかかることがあり、画像の一部がみえにくくなる可能性がある。
【０００５】
本発明は、上記の課題に鑑み、画像とアイコンの表示をする際に、操作性と画像の視認性とを両立した表示制御装置の提供を目的とする。
【課題を解決するための手段】
【０００６】
上記目的を達成するために、本発明の表示制御装置は、表示手段へのタッチ操作を検出可能なタッチ検出手段と、前記表示手段に表示された画像を接眼部を通して視認する第一の状態においては、前記表示手段の所定の領域にアイテムを表示するとともに、前記所定の領域ではない領域に前記画像を表示し、前記表示手段に表示された画像を前記接眼部を通さずに視認可能な第二の状態においては、前記アイテムに対応するタッチ操作を受付可能なタッチアイテムを表示するとともに、前記表示手段の前記所定の領域に前記画像を表示するように制御する制御手段とを有することを特徴とする。
【発明の効果】
【０００７】
本発明によれば、画像とアイコンの表示をする際に、操作性と画像の視認性とを両立させることができる。
【図面の簡単な説明】
【０００８】
【図１】本実施形態の構成を適用可能な装置の一例としてのデジタルカメラの外観図
【図２】本実施形態の構成を適用可能な装置の一例としてのデジタルカメラの構成例を示すブロック図
【図３】本実施形態の撮影モードにおける表示部への表示処理を示すフローチャート
【図４】本実施形態における表示領域の表示例を示す図
【図５】表示領域へのユーザによる操作の様子の一例を示す図
【図６】本実施形態を適用可能な装置をユーザが持つ様子を示す図
【発明を実施するための形態】
【０００９】
以下、図面を参照して本発明の好適な実施形態を説明する。
【００１０】
＜第１実施形態＞
図１（ａ）は本発明の撮像制御装置の一例としてのデジタルカメラ１００の外観図である。
【００１１】
表示部２８は画像や各種情報を表示する表示部であり、タッチ操作を受け付け可能（タッチ検出可能）なタッチパネル７０ａと重畳して設けられている。シャッターボタン６１は撮影指示を行うための操作部である。
【００１２】
再生ボタン５７は、記録媒体２００に記録されている画像を再生するための再生モードに切り替えるためのボタンである。メニューボタン５５はメニュー画面を表示するための押しボタンであり、メニュー画面においては、撮影画像のアスペクト比や、タッチ操作を受け付けるか否かの設定等を行うことができる。デジタルカメラ１００に電源を入れると、まず撮影待機画面が表示され（撮影モードになる）るが、再生ボタン５７やメニューボタン５５を押下すると再生モードやメニューモードに切り替わる。モード切替スイッチ６０は、システム制御部５０の動作モードを静止画モード、動画モード等のいずれかに切り替える。静止画モードの場合にシャッターボタン６１が押下されると静止画が撮影され、動画モードの場合にシャッターボタン６１が押下されると動画が撮影される。なお、再生モードやメニューモードであってもシャッターボタン６１が押下されると撮影モードに切り替わり、撮影が行われる。また、メニュー画面では、静止画モードと動画モードで撮影される画像のアスペクト比が設定可能であり、設定されたアスペクト比の撮影画像（ライブビュー画像）が表示部２８に表示される。
【００１３】
ＳＥＴボタン５１を押下すると、選択した項目を設定項目として設定することができる。十字キー５４は操作部７０に含まれ、上、下、左、右部分をそれぞれ押し込み可能な十字キー（４方向キー）である。十字キー５４の押した部分に応じた操作が可能である。電源スイッチ７２は、デジタルカメラ１００の電源のオンとオフを切り替えるための部材である。これらの操作部材は、操作部に７０に含まれる。操作部７０はユーザからの各種操作を受け付ける各種スイッチ、ボタン、タッチパネル等の操作部材より成る操作部である。利用者は、表示部２８に表示されたメニュー画面と、上下左右の４方向ボタンやＳＥＴボタンとを用いて直感的に各種設定を行うことができる。記録媒体２００（図１には不図示）はメモリカードやハードディスク等の不揮発性の記録媒体である。また、撮像レンズ１０３は、デジタルカメラ１００の前方にあり、被写体を撮影するためのレンズ部である。撮像レンズ１０３を通して得られた画像は表示部２８に表示可能である。
【００１４】
図１（ｂ）に示される接眼ユニット８０は、表示部２８を囲う、デジタルカメラ１００に着脱可能なユニットである。接眼ユニット８０の接眼部６３を通して表示部２８を見ると暗い状態で画像を確認することができるので、周囲が明るくて画像が見えにくい場合や、周囲に明かりが漏れないようにしたい場合に良い。このとき、表示部２８を覆うように接眼ユニット８０が装着されるので、表示部２８へのタッチ操作を行うことができない。
【００１５】
表示領域に撮影画像を表示する場合には、設定された撮影画像のアスペクト比に応じて表示形態が異なる。図１（ａ）の表示部２８に示すように、動画のアスペクト比が１６：９、表示領域４０のアスペクト比が３：２の場合に撮影画像全体を表示すると、表示領域４０の一部の領域には撮影画像が表示されない。つまり、表示領域４０が３：２であり、画像表示領域４２が１６：９なので、画像の表示されない非画像表示領域ができる。この非画像表示領域に、撮影に関する様々な情報を示すアイコンやガイド等を表示すると、撮影画像上にアイコン等が重畳されないので画像の視認性を低下させずに情報表示をすることができる。非画像表示領域には上述したように情報表示をするので情報表示領域と呼ぶものとする。また、撮影画像が中心に表示されると、撮影画像が表示領域４０の片側によって表示されるよりも、表示される撮影画像と表示領域４０の中心とが合い、ユーザが撮影画像４０１の中心や構図を把握しやすくなる。よって、動画のアスペクト比と表示領域のアスペクト比が異なる場合には、同じ大きさの２つの帯状の領域である情報表示領域４１ａ、４１ｂ（非画像表示領域）を、画像表示領域の左右または上下の両辺に設けるとよい。さらにそれぞれ表示部２８の一辺に沿うように情報表示領域４１ａ、４１ｂは設けられる。情報表示領域４１ａと４１ｂは、同じ大きさ（縦方向と横方向の長さがそれぞれ等しい）で画像表示領域４２の向かい合う両辺に設けられるので、画像表示領域４２が表示領域４０の中央に設けられ、表示される撮影画像と表示領域４０の中心とが合う。
【００１６】
図２は、本実施形態によるデジタルカメラ１００の構成例を示すブロック図である。
【００１７】
図２において、撮像レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００１８】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１９】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００２０】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示（ライブビュー表示）を行える。
【００２１】
不揮発性メモリ５６は、電気的に消去・記録可能な記録媒体としてのメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのコンピュータプログラムのことである。
【００２２】
システム制御部５０は、デジタルカメラ１００全体を制御する。前述した不揮発性メモリ５６に記録されたプログラムを実行することで、後述する本実施形態の各処理を実現する。システムメモリ５２には、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１３、表示部２８等を制御することにより表示制御も行う。
【００２３】
システムタイマー５３は各種制御に用いる時間や、内蔵された時計の時間を計測する計時部である。
【００２４】
モード切替スイッチ６０、シャッターボタン６１、操作部７０はシステム制御部５０に各種の動作指示を入力するための操作手段である。操作部７０には、タッチ操作を受け付けるタッチパネル７０ａが設けられる。
【００２５】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２６】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２７】
電源制御部７３は、電池検出回路、ＤＣ−ＤＣコンバータ、通電するブロックを切り替えるスイッチ回路等により構成され、電池の装着の有無、電池の種類、電池残量の検出を行う。また、電源制御部７３は、その検出結果及びシステム制御部５０の指示に基づいてＤＣ−ＤＣコンバータを制御し、必要な電圧を必要な期間、記録媒体２００を含む各部へ供給する。電源スイッチ７２で、デジタルカメラ１００の電源のオンとオフの切替えることができる。
【００２８】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の不揮発性の記録媒体であり、半導体メモリや光ディスク、磁気ディスク等から構成される。
【００２９】
図３を用いて撮影モードにおける表示部２８への表示処理について説明する。この処理は、不揮発性メモリ５６に記録されたプログラムをシステムメモリ５２に展開してシステム制御部５０が実行することで実現する。なお、この処理は、デジタルカメラ１００に電源が入り、撮影モードになる、もしくは再生モードやメニューモードから撮影モードに切り替えられると開始する。以下の処理では、動画の撮影を行う場合について説明する。
【００３０】
本実施形態では、デジタルカメラ１００を図６（ａ）のように片手でデジタルカメラ１００を持つ場合について説明する。このようにユーザがデジタルカメラ１００を一方の手（右手）で保持した場合、他方の手（左手）で操作を行う。
【００３１】
Ｓ３０１では、システム制御部５０は、表示部２８の表示領域のアスペクト比と、ライブビュー画像の表示アスペクト比とが異なるかどうかを判定する。異なると判定した場合は、Ｓ３０２へ進み、そうでない場合は、Ｓ３０３へ進む。
【００３２】
Ｓ３０２では、システム制御部５０は、撮影モードの終了操作があったか否かを判定する。撮影モードの終了操作は、再生モードやメニューモードへの切り替えや、デジタルカメラ１００の電源を切る操作である。終了操作があったと判定した場合は、撮影モードの表示処理を終了し、そうでない場合はＳ３０４へ進む。
【００３３】
Ｓ３０３では、システム制御部５０は、撮影画像を表示領域４０に合わせた大きさで表示する（不図示）。このとき非画像表示領域は設けられないので、情報表示をする場合には、撮影画像に重畳して表示してもよい。表示領域４０と撮影画像のアスペクト比が同じ場合にも、操作部７０への操作に応じて項目の設定変更等を行うことができるが、説明は割愛する。
【００３４】
Ｓ３０４では、システム制御部５０は、タッチパネル７０ａへのタッチ操作が受け付け可能か否かを判定する。タッチパネル７０ａへのタッチ操作を受け付けるか否かは、接眼ユニット８０が取り付けられているか否かに応じて判定する。また、上述したようにメニュー画面においても設定することができる。接眼ユニット８０が取り付けられていない場合には、タッチパネル７０ａへのタッチ操作を受け付け可能であると判定し、Ｓ３０８へ進む。接眼ユニット８０が取り付けられている場合には、タッチパネル７０ａへのタッチ操作を受け付け不可能であると判定し、Ｓ３０５へ進む。また、接眼ユニット８０が取り付けられていなくても、メニュー画面においてタッチ操作を受け付けないと設定されている場合にはタッチ操作を受け付け不可能であると判定する。接眼ユニット８０が取り付けられているか否かの判定は、デジタルカメラ１００のうち、接眼ユニット８０を装着する部分にあるボタン（装着検知ボタン）が接眼ユニット８０を装着したことにより押下されたか否かによって判定する。本実施形態では、接眼ユニット８０は外付けであり、接眼ユニット８０を取り付けた場合には表示部２８（タッチパネル７０ａ）が接眼ユニット８０におおわれるため、タッチパネル７０ａへの操作を受け付けることができなくなるものとする。しかし、タッチパネル７０ａを除く操作部７０の十字キー５４やＳＥＴボタン５１等は、接眼ユニット８０にはおおわれないため、これらの操作部材への操作で項目の設定変更操作等を行うことができる。なお、Ｓ３０４での接眼ユニット８０が取り付けられているか否かの判定は、言い換えれば、ユーザが接眼ファインダの接眼部を通して撮影画像（ライブビュー）を確認可能（視認可能）な状態にあるか否かの判定である。接眼部を通して画像を確認可能な状態（接眼ユニット８０が使用されている状態）であると判定した場合はＳ３０５に進み、そうでない場合（接眼部を通して視認できない）はＳ３０８に進む。
【００３５】
Ｓ３０５では、システム制御部５０は、図４（ａ）に示すように撮影画像４０１（画像表示領域４２に表示される）を表示領域４０の中央に表示し、アイコン４０２、４０３を情報表示領域４１ａ（所定の領域）に、アイコン４０４を情報表示領域４１ｂに表示する。図４は、撮影モードにおける表示の一例であり、図４（ａ）は表示部２８において、タッチ操作を受け付けない場合の表示例、図４（ｂ）〜（ｄ）は表示部２８においてタッチ操作を受付可能な場合の表示例を示している。アイコン４０２は、撮影モードを示すアイコンであり、プログラムモードであることを示している。アイコン４０３は、撮影待機中であることを示すアイコンであり、アイコン４０４は、Ｗｉ−Ｆｉ（商標）（無線ＬＡＮ）接続がオフの状態であることを示すアイコンである。このように情報表示領域４１ａ、４１ｂにアイコンを表示するとユーザは、現在の撮影モードにおける状態等を確認することができる。なお、情報表示領域４１ａ、４１ｂに表示するアイコンはユーザが設定できるようにしてもよい。
【００３６】
Ｓ３０６では、システム制御部５０は、操作部７０への操作があったか否かを判定する。操作部７０への操作とは、シャッターボタン６１の押下による動画の撮影指示や、モード切替スイッチ６０への操作による撮影モードの変更操作等がある。操作部７０への操作があったと判定した場合には、Ｓ３０７へ進み、そうでない場合は、Ｓ３０２に戻る。
【００３７】
Ｓ３０７では、システム制御部５０は、Ｓ３０６で行われた操作に応じた処理を行う。つまり、例えばシャッターボタン６１が押下された場合には動画の撮影処理が行われ、モード切替スイッチ６０への操作が行われた場合には、動画から静止画への切り替え処理が行われる。Ｓ３０７の処理が終了すると、Ｓ３０２へ進む。このように、タッチ操作を受け付けない場合には、終了操作が行われない限り、操作部７０への操作に応じた処理を行う。このとき、表示部２８において、撮影画像５０１の表示位置は変わらない。
【００３８】
Ｓ３０８以降の処理では、タッチパネル７０ａへのタッチ操作を受付可能な場合の処理について説明する。
【００３９】
Ｓ３０８では、システム制御部５０は、シャッターボタン６１の押下により、動画の撮影開始指示がされたか否かを判定する。動画の撮影開始指示がされたと判定した場合は、Ｓ３１２へ進み、そうでない場合は、Ｓ３０９へ進む。
【００４０】
Ｓ３０９では、システム制御部５０は、図４（ｂ）に示すように撮影画像４０１を表示領域４０のうち上側に寄せて（所定の領域を含む領域に）表示する。また、情報表示領域４１ａ、４１ｂを合わせた大きさの単一の情報表示領域である拡大情報表示領域４１にアイコンを表示する。図４（ａ）の場合には、撮影画像４０１（画像表示領域４２）は表示領域４０の中央に位置していたが、Ｓ３０９では、図４（ｂ）のように撮影画像４０１の上辺と、表示領域４０の上辺とが合うように上側に寄せて表示する。拡大情報表示領域４１にはアイコン４０２ｓ、４０３、４０４ｓ、４０５、４０７、アイコン群４０６を表示する。アイコン４０２ｓはアイコン４０２、アイコン４０４ｓはアイコン４０４と同じ情報を示すアイコンであり、選択可能な状態で表示される（タッチアイテムとなる）。また、アイコン４０２ｓ、４０４ｓ、アイコン４０５〜４０７をタッチするタッチ操作を行うと、それぞれのアイコンの示す項目の設定変更を受け付けることができる。アイコン４０５は、撮影モードにおいて設定可能な項目の一覧（撮影モード内でのメニュー画面）を表示するためのアイコンであり、例えば動画撮影時のフレームレートや、動画にかける残像効果等の効果などを設定することができる。アイコン群４０６は設定変更可能な項目の一覧を表示したもので、オート録音とマニュアル録音の切替えや、ズーム倍率の設定変更等を行うことのできるアイコンが含まれる。アイコン４０７は、情報表示領域にアイコンを非表示にするためのアイコンである。このように、タッチ操作を受け付ける場合には、Ｓ３０９で撮影画像４０１を上側に寄せて表示し、下側に設けた拡大情報表示領域４１にタッチ操作を受け付け可能なアイコンを表示する。表示領域４０の下側は、表示される文字の下方向であり、タッチ操作を行う際には表示される文字の下側から操作をする可能性が高いので下側に拡大情報表示領域４１を設ける。これによって、アイコンへのタッチ操作を行う時に撮影画像４０１の視認性が低下しない。
【００４１】
図５（ａ）、（ｂ）を用いて、アイコンへのタッチ操作を行う際の撮影画像の視認性について説明する。図５は、表示部２８の表示例と、各表示例において表示されたアイコンの選択操作をする場合のユーザの指Ｕの様子を示したものである。図５（ａ）は、タッチ操作を受け付ける場合に撮影画像４０１を上側に寄せずに表示領域４０の中央に表示した場合を示している。図５（ｂ）は、Ｓ３０９で上述した図４（ｂ）の表示例と同じくタッチ操作を受け付ける場合に撮影画像を表示領域４０の上側に寄せて表示した場合を示している。図５（ａ）のように、撮影画像４０１を表示領域４０の中央に表示すると、ユーザが表示領域４０の上側にある情報表示領域４１ａ（所定の領域）にあるアイコン４０２ｓを選択する場合にユーザの指Ｕが撮影画像４０１に被ってしまう。そのため、情報表示領域４１ａへのタッチ操作を行っている間、撮影画像４０１のうち指Ｕが被っている部分がユーザから見えにくくなり、視認性が低下してしまう。一方で、図５（ｂ）のように、表示領域４０の下側にアイコンを表示するようにすると、アイコン４０２ｓへのタッチ操作を行っても、図５（ａ）の場合のように、指Ｕが撮影画像４０１に被らず、指Ｕによって撮影画像４０１の一部がユーザから見えにくくならない。よって、撮影画像４０１の視認性が低下しない。
【００４２】
Ｓ３１０では、システム制御部５０は、拡大情報表示領域４１に表示されたアイコンへのタッチ操作があったか否かを判定する。タッチ操作があったと判定した場合は、Ｓ３１１へ進み、そうでない場合は、Ｓ３０２へ戻る。
【００４３】
Ｓ３１１では、システム制御部５０は、Ｓ３１０でタッチ操作されたアイコンに対応する処理を行う。
【００４４】
Ｓ３１２では、システム制御部５０は、図４（ｃ）に示すように撮影画像４０１を表示領域４０の中央に表示し、情報表示領域４１ａ、４１ｂにアイコンを表示する。Ｓ３１２では、動画の撮影が開始されたので、撮影画像４０１を表示領域４０の中央に表示し、ユーザが画像の中心や構図を把握しやすいようにする。これによって、ユーザは動画撮影中にデジタルカメラ１００を動かすフレーミングを行いやすくなる。Ｓ３０５と同様に、撮影画像４０１を表示領域４０の中央に表示はするが、Ｓ３０５〜Ｓ３０６の処理とは異なり、Ｓ３１２以降の処理ではタッチ操作を受け付けるので、図４（ｃ）のようにアイコンを表示する。すなわち、表示領域４０の上側にある情報表示領域４１ａには、タッチ操作を受け付けるアイコンを表示しないようにし、撮影時間を示すアイテム４０８や、撮影中であることを示すアイコン４０９、撮影モードを示すアイコン４０２を表示する。表示領域４０の下側にある情報表示領域４１ｂには、タッチ操作を受け付けるアイコン群４０６やアイコン４０４ｓを表示する。このように、タッチ操作を受け付けるアイコンは表示領域４０の下側の情報表示領域４１ｂに表示されるようにすると、タッチ操作を行う指Ｕによって画像の視認性が低下しない。
【００４５】
Ｓ３１３では、システム制御部５０は、撮像部２２によって動画を撮像し、記録媒体２００に記録する。
【００４６】
Ｓ３１４では、システム制御部５０は、撮影画像４０１（画像表示領域４２）へのタッチ操作が行われたか否かを判定する。タッチ操作が行われたと判定した場合は、Ｓ３１５へ進み、そうでない場合は、Ｓ３１８へ進む。撮影画像４０１へのタッチ操作を行うことにより、撮影画像４０１を中央に表示するか、上側に寄せて表示するかを切り替えることができるが、切り替えをするための操作は撮影画像４０１へのタッチ操作でなくてもよく、操作部７０のボタン操作等でもよい。Ｓ３１２では、動画の撮影中には撮影画像４０１を中央に表示することを説明したが、以下のようにしてもよい。つまり、ユーザが後述するように特定の項目の選択操作をタッチ操作で設定変更を行いたい場合には、撮影画像４０１の表示位置（中央表示、上側に寄せて表示）を切り替えられるようにすると操作性が向上する。Ｓ３１４〜Ｓ３１７では、撮影画像４０１の表示位置の切り替え（画像位置切替）について説明する。
【００４７】
Ｓ３１５では、システム制御部５０は、Ｓ３１４でタッチ操作を受け付けた場合に、撮影画像４０１が表示領域４０の中央に表示されていたか上側に寄って表示されていたか否かを判定する。中央に表示されていたと判定した場合は、Ｓ３１６へ進み、そうでない場合は、Ｓ３１７に進む。
【００４８】
Ｓ３１６では、システム制御部５０は、図４（ｄ）に示すように、撮影画像４０１を表示領域４０のうち上側に寄せて表示し、情報表示領域４１ａ、４１ｂを合わせた大きさの情報表示領域である拡大情報表示領域４１にアイコンを表示する。図４（ｃ）の情報表示領域４１ａでは例えば、撮影モードを示すアイコン４０２はタッチ操作を受け付けない状態で表示される。しかしながら、撮影画像４０１の表示位置の切り替えを行うと、表示領域４０の下側に拡大情報表示領域４１が設けられるので、タッチ操作を受け付ける状態でアイコン４０２ｓが表示される。このように、画面の切替え後に、アイコンが拡大情報表示領域４１に表示されると、タッチ操作を受け付け可能な状態で表示されるので、タッチ操作で選択可能なアイコンの数が増える。
【００４９】
Ｓ３１７では、システム制御部５０は、撮影画像４０１を表示領域４０の中央に表示するように切り換える。つまり、図４（ｄ）のような表示状態から図４（ｃ）のような表示状態に戻す。
【００５０】
Ｓ３１８〜Ｓ３１９の処理は、Ｓ３１０〜Ｓ３１１の処理と同様の処理である。Ｓ３１６の処理によって、タッチ操作を受け付けるアイコンが増えた場合には、より多くの項目に対してタッチ操作に応じて処理を行うことができる。
【００５１】
Ｓ３２０では、システム制御部５０は、シャッターボタン６１の押下により、動画の撮影終了指示がされたか否かを判定する。動画の撮影終了指示がされたと判定した場合は、動画の撮影、記録を終了しＳ３０２へ進み、そうでない場合は、Ｓ３１４へ進む。
【００５２】
以上、説明した実施形態によれば、タッチ操作を受け付け可能な状態の場合に、ユーザがアイコンへのタッチ操作を行っても撮影画像４０１の視認性が低減しない。また、タッチ操作を受け付け不可能な場合には、ユーザが撮影画像４０１の中心や構図を把握しやすくなる。タッチ操作を受け付けるアイコンへのタッチ操作をした場合に、ユーザの指Ｕが撮影画像４０１に被らないような位置（表示領域４０の下側）に表示するので、アイコンへのタッチ操作を行う指Ｕにより撮影画像４０１の一部が見えにくくならない。タッチ操作を受け付けない場合には、アイコンへのタッチ操作が行われないので、設定変更操作等を行う指により画像の視認性が低下することがない。従って、アイコンを撮影画像４０１の両側に表示して、画像を表示領域の中央に表示することで、ユーザが撮影画像４０１の中心や構図を把握しやすくなる。
【００５３】
言い換えると、接眼ユニット８０が取り付けられていない場合には、ユーザはタッチパネル７０ａへのタッチ操作が可能であり、タッチ操作が行われても操作する指Ｕが撮影画像４０１に被りにくいので撮影画像４０１の視認性は低下しない。接眼ユニット８０が取り付けられており、ユーザがファインダの接眼部を通して撮影画像４０１を確認可能な場合には、撮影画像４０１が表示領域の中央に表示されるので、撮影画像４０１の中心や構図を把握しやすくなる。従って、接眼部を覗きながら行うフレーミング動作が行いやすくなる。
【００５４】
なお、本実施形態では、図６（ａ）のようにユーザがデジタルカメラ１００を片手で保持し、他方の手でタッチ操作を行う場合について説明したが、タッチ操作を行う際の装置の持ち方はこれに限らない。例えば、図６（ｂ）のように、デジタルカメラ１００の左右両側を左右それぞれの手で支えるように持ち構え、親指でタッチ操作を行うと、デジタルカメラ１００を安定的に保持したまま操作を行うことができる。このように親指でタッチ操作をする場合には、矢印６０１のように表示部２８の下側から指を操作するので、表示領域の上側にあるタッチ操作を受け付けるアイコンへのタッチ操作を行う場合に撮影画像の一部が指Ｕと被ってしまう。また、把持部を支える手の指Ｕで操作部７０への操作とタッチ操作を行うことができる。よって、上述した実施形態と同様に撮影画像６０２を表示領域の上側に、アイコンを表示領域の下側に表示するようにすると撮影画像６０２に指Ｕが被らず画像の視認性が低下しない。
【００５５】
［実施形態の変形例］
また、本実施形態では、表示領域４０のアスペクト比と撮影画像のアスペクト比が異なる場合には、表示領域４０のアスペクト比が３：２、撮影画像のアスペクト比が１６：９であり、情報表示領域は、画像表示領域の上下に設けられることを説明した。しかし、表示領域と撮影画像のアスペクト比は、この限りではなく、撮影画像の縦方向の長さの比率が表示領域の縦方向の長さの比率よりも大きくてもよい。図６（ｃ）、（ｄ）を用いて、表示領域のアスペクト比が１６：９、撮影画像のアスペクト比が３：２の場合について説明する。デジタルカメラ６００は、図１で説明したデジタルカメラ１００と構成は同じであるが、図６に示すように、デジタルカメラ６００の前方部分（レンズ部分）を左手で支えるように持ち、把持部に右手を添えるようにして右手で操作を行う場合について説明する。また、表示領域６０３のアスペクト比は１６：９であり、撮影画像６０４のアスペクト比は３：２なので、タッチ操作を受け付けない場合には、情報表示領域６０５ａ、６０５ｂを撮影画像６０４の左右に設ける。このように、タッチ操作を受け付けない状態の場合には、撮影画像６０４を表示領域６０３の中央に表示することで、画像の視認性が向上する。タッチ操作を受け付ける状態の場合には、撮影画像６０４を左側に寄せて表示し、情報表示領域６０５ａ、６０５ｂを合わせた大きさである拡大情報表示領域６０５を右側に寄せて表示することで、アイコンへのタッチ操作を行う指が撮影画像６０４に被らない。よって、タッチ操作を行っても画像の視認性が低下しない。また、上述したアスペクト比は一例であり、４：３や、１：１等のアスペクト比でもよい。
【００５６】
なお、タッチ操作を受け付ける状態である場合に、撮影画像を寄せる方向（または、情報表示領域を寄せる方向の反対方向）は、タッチ操作を行う指の位置に応じて異なる。すなわち、把持部がある方向とは反対側に撮影画像が寄せて表示される。表示領域のうち、タッチ操作を行う指により近い領域に拡大情報表示領域が設けられるようにすると、タッチ操作を行った場合に指が撮影画像に被らずにアイコンをタッチできる。また、装置の把持部に近い側に拡大情報表示領域を設けると、装置を持った手の指で操作を行った際に、アイコンにタッチする際に画像をまたいでタッチ操作をする必要がなくなる。
【００５７】
なお、接眼ユニット８０が取り付けられた場合には、タッチ操作を受け付けないことを説明したが、ユーザが表示部２８へのタッチ操作を行わないその他の例としては図６（ｅ）に示すようなＥＶＦ（電子ビューファインダ）６０６に表示する場合等がある。ＥＶＦ６０６は、撮像部２２により得られた画像を表示可能な表示部６０８を含み、接眼部を通して電子的に表示された画像を見ることができる。また、接近センサ（接眼センサ）が設けられており、接眼センサが人物の目や顔等のものが近付いたこと（接眼）を検知したことに応じて、タッチパネル７０ａへのタッチを無効とし、表示先を表示部２８からＥＶＦ６０６の表示部６０８に切り替える。また、ボタンにより、表示部２８かＥＶＦ６０６の表示部６０８かの表示先の切替えを行うこともできる。デジタルカメラ６０７の本体部に対して、ＥＶＦ６０６は取り外しが可能であってもよいし、もともとデジタルカメラ６０７に含まれていてもよい。Ｓ３０４では、接眼ユニット８０が装着されているか否かで、タッチ操作の受け付けが可能か否かを判定したが、ＥＶＦ６０６が取り付けられた場合には、ＥＶＦ６０６が使用状態にあるか否かにより判定する。つまり、接眼センサによるものの接近や、ボタンによって表示先を表示部６０８に切り替えた場合にＥＶＦ６０６が使用状態にあると判定し（すなわちタッチパネル７０ａが操作受付可能ではないと判定し）、Ｓ３０５に進むようにしてもよい。
【００５８】
なお、タッチ操作を受け付ける状態と、タッチ操作を受け付けない状態とは、タッチ操作を受け付け可能か否かの状態のみを指すのではない。つまり、タッチ操作が行われた際に行われたタッチ操作に応じた処理をシステム制御部５０が行うように制御する状態と、タッチ操作が行われたことを検出しても検出されたタッチ操作に応じた処理をシステム制御部５０が行わないように制御する状態とも含まれる。
【００５９】
また、タッチ操作を受け付けるアイコンと、タッチ操作を受け付けないアイコンとを異なる表示形態で表示することを説明したが、必ずしも表示形態を変えなくてもよい。
【００６０】
なお、本実施形態では、撮影モードである場合について説明したが、再生モードである場合にも、タッチ操作を受け付ける状態か否かに応じて画像を表示する位置を変更してもよい。
【００６１】
なお、撮像制御装置の制御は１つのハードウェアが行ってもよいし、複数のハードウェアが処理を分担することで、装置全体の制御を行ってもよい。
【００６２】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００６３】
また、上述した実施形態においては、本発明をデジタルカメラ１００及び６００に適用した場合を例にして説明したが、これはこの例に限定されず、タッチ操作を受け付け可能なタッチパネルへの表示制御が可能な表示制御装置であれば適用可能である。即ち、本発明はパーソナルコンピュータ（ＰＣ）や、携帯電話端末や携帯型の画像ビューワ、デジタルフォトフレーム、音楽プレーヤー、ゲーム機、電子ブックリーダー、タブレットＰＣ、スマートフォン、投影装置、表示部を有する家電装置等に適用可能である。また、デジタルカメラ等で撮影したライブビュー画像を有線または無線通信を介して受信して表示し、リモートでデジタルカメラ（ネットワークカメラを含む）を制御するスマートフォンやタブレットＰＣ、デスクトップＰＣなどの装置にも適用可能である。
【００６４】
（他の実施形態）
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【図１】
2017016581.tif 000003
【図２】
2017016581.tif 000004
【図３】
2017016581.tif 000005
【図４】
2017016581.tif 000006
【図５】
2017016581.tif 000007
【図６】
2017016581.tif 000008